(57)【要約】  本発明は、セルアクセス方法と機器を開示する。端末機器は、滞在中のサービングセルから、セル滞在リスク識別子と測定情報を含むシステム情報を受信する。端末機器は、セル滞在リスク識別子に基づいて、サービングセルにレークエフェクトが生じやすいと確定するとともに、測定情報に基づいて、サービングセルの信号品質を検出する。端末機器は、現在レークエフェクトが生じているか否かを、検出した信号品質情報を利用して確定し、レークエフェクトが現在まだ生じていないと確定する場合に、サービングセルにアクセスする。端末機器は、レークエフェクトの発生を、サービングセルへのアクセスの前に判断する。サービングセルのカバレッジにおける端末機器の当該基地局機器へのアクセスを成功させる一方、サービングセルのカバレッジ外においてレークエフェクトにより滞在する端末機器を直ちに発見して、当該サービングセルへのアクセスを禁止する。よって、レークエフェクトによる端末機器のアクセス失敗問題を効果的に回避する。【選択図】  図１
2017513422.tif 000002
【特許請求の範囲】
【請求項１】
端末機器が、滞在中のサービングセルから、セル滞在リスク識別子と測定情報を含むシステム情報を受信することと、
上記セル滞在リスク識別子に基づいて、上記サービングセルにレークエフェクトが生じやすいと確定するとともに、上記測定情報に基づいて、上記サービングセルの信号品質を検出することと、
現在レークエフェクトが生じているか否かを、検出した信号品質情報を利用して確定し、レークエフェクトが現在まだ生じていないと確定する場合に、上記サービングセルにアクセスすることと、を含むことを特徴とするセルアクセス方法。
【請求項２】
上記端末機器は、現在レークエフェクトが生じていると確定する場合に、サービングセル再選択を開始し、現在滞在中のサービングセルを、上記端末機器によるアクセスが禁止されるサービングセルに設定することを更に含むことを特徴とする請求項１に記載の方法。
【請求項３】
上記システム情報には、上記サービングセルの所定の信号品質閾値を更に含み、
上記端末機器に現在レークエフェクトが生じているか否かを、検出した信号品質情報を利用して確定することは、
上記端末機器は、検出した信号品質情報と受信した上記サービングセルの所定の信号品質閾値を比較することと、
比較結果に応じて、現在レークエフェクトが生じているか否かを確定することとを含むことを特徴とする請求項１に記載の方法。
【請求項４】
比較結果に応じて、現在レークエフェクトが生じているか否かを確定することは、
上記端末機器は、モニタリングした信号品質情報が受信した上記サービングセルの所定の信号品質閾値以下であると確定する場合に、レークエフェクトが現在まだ生じていないと確定することと、
上記端末機器は、モニタリングした信号品質情報が受信した上記サービングセルの所定の信号品質閾値より大きいと確定する場合に、現在レークエフェクトが生じていると確定することとを含むことを特徴とする請求項３に記載の方法。
【請求項５】
上記端末機器が、上記端末機器のアクセスセルの識別情報及び上記端末機器の現在所在の位置情報を含むセルアクセス失敗イベント情報を、ネットワーク側へ送信することにより、
上記ネットワーク側が、
受信した上記端末機器のアクセスセルの識別情報に基づいて、上記アクセスセルの位置情報を確定し、
確定した上記位置情報と上記端末機器の現在所在の位置情報との距離値が所定の第一閾値より大きくなる場合に、上記端末機器のアクセスセルにレークエフェクトが生じていると確定し、
レークエフェクトの発生が確定されたセルにセル滞在リスク識別子を送信するように、
上記セル滞在リスク識別子が取得されることを特徴とする請求項１〜４のいずれか一項に記載の方法。
【請求項６】
上記端末機器が、上記端末機器のアクセスセルの識別情報及び上記端末機器の現在所在の位置情報を含むセルアクセス失敗イベント情報を、ネットワーク側へ送信することにより、
上記ネットワーク側が、
上記端末機器の現在所在の位置情報に基づいて、上記位置情報におけるカバー信号品質が所定の第二閾値より大きい少なくとも１つのセルの識別情報を確定し、
少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定し、
レークエフェクトの発生が確定されたセルにセル滞在リスク識別子を送信するように、
上記セル滞在リスク識別子が取得されることを特徴とする請求項１〜４のいずれか一項に記載の方法。
【請求項７】
サービングセルが、セル滞在リスク識別子と測定情報を含むシステム情報を放送することと、
上記サービングセルに滞在している端末機器により、自身にレークエフェクトがまだ生じていないと確定する場合に、上記端末機器のアクセス情報を受信し、上記端末機器からのアクセスを許可することと、を含むことを特徴とするセルアクセス方法。
【請求項８】
サービングセルがシステム情報を放送する前に、ネットワーク側から送信されるセル滞在リスク識別子を受信することを更に含むことを特徴とする請求項７に記載の方法。
【請求項９】
隣接サービングセルから送信されるセル滞在リスク識別子を受信することと、
放送されるシステム情報に、セル滞在リスク識別子及び対応する隣接サービングセルの識別情報を含むことと、を更に含むことを特徴とする請求項７又は８に記載の方法。
【請求項１０】
セルアクセス用の端末機器において、
滞在中のサービングセルから、セル滞在リスク識別子と測定情報を含むシステム情報を受信するための受信モジュールと、
上記セル滞在リスク識別子に基づいて、上記サービングセルにレークエフェクトが生じやすいと確定するとともに、上記測定情報に基づいて、上記サービングセルの信号品質を検出するための確定検出モジュールと、
現在レークエフェクトが生じているか否かを、検出した信号品質情報を利用して確定し、レークエフェクトが現在まだ生じていないと確定する場合に、上記サービングセルにアクセスするためのアクセスモジュールと、を含むことを特徴とする端末機器。
【請求項１１】
上記アクセスモジュールは、更に、
現在レークエフェクトが生じていると確定する場合に、サービングセル再選択を開始し、上記サービングセルを、上記端末機器によるアクセスが禁止されるサービングセルに設定することを特徴とする請求項１０に記載の端末機器。
【請求項１２】
上記システム情報には、上記サービングセルの所定の信号品質閾値を更に含み、
上記アクセスモジュールは、
検出した信号品質情報と受信した上記サービングセルの所定の信号品質閾値を比較し、
比較結果に応じて、現在レークエフェクトが生じているか否かを確定することを特徴とする請求項１０に記載の端末機器。
【請求項１３】
上記アクセスモジュールは、
モニタリングした信号品質情報が受信した上記サービングセルの所定の信号品質閾値以下であると確定する場合に、レークエフェクトが現在まだ生じていないと確定し、
モニタリングした信号品質情報が受信した上記サービングセルの所定の信号品質閾値より大きいと確定する場合に、現在レークエフェクトが生じていると確定することを特徴とする請求項１２に記載の端末機器。
【請求項１４】
上記端末機器のアクセスセルの識別情報及び上記端末機器の現在所在の位置情報を含むセルアクセス失敗イベント情報をネットワーク側へ送信することにより、
上記ネットワーク側が、
受信した上記端末機器のアクセスセルの識別情報に基づいて、上記アクセスセルの位置情報を確定し、
確定した上記位置情報と上記端末機器の現在所在の位置情報との距離値が所定の第一閾値より大きくなる場合に、上記端末機器のアクセスセルにレークエフェクトが生じていると確定し、
レークエフェクトの発生が確定されたセルにセル滞在リスク識別子を送信するように、
上記セル滞在リスク識別子が取得されることを特徴とする請求項１０〜１３のいずれか一項に記載の端末機器。
【請求項１５】
上記端末機器のアクセスセルの識別情報及び上記端末機器の現在所在の位置情報を含むセルアクセス失敗イベント情報をネットワーク側へ送信することにより、
上記ネットワーク側が、
上記端末機器の現在所在の位置情報に基づいて、上記位置情報におけるカバー信号品質が所定の第二閾値より大きい少なくとも１つのセルの識別情報を確定し、
少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定し、
レークエフェクトの発生が確定されたセルにセル滞在リスク識別子を送信するように、
上記セル滞在リスク識別子が取得されることを特徴とする請求項１０〜１３のいずれか一項に記載の端末機器。
【請求項１６】
セルアクセス用のサービングセルにおいて、
セル滞在リスク識別子と測定情報を含むシステム情報を放送するための放送モジュールと、
上記サービングセルに滞在している端末機器により、自身にレークエフェクトがまだ生じていないと確定する場合に、上記端末機器のアクセス情報を受信し、上記端末機器からのアクセスを許可するためのアクセス応答モジュールと、を含むことを特徴とするサービングセル。
【請求項１７】
システム情報を放送する前に、ネットワーク側から送信されるセル滞在リスク識別子を受信するための受信モジュールを更に含むことを特徴とする請求項１６に記載のサービングセル。
【請求項１８】
隣接サービングセルから送信されるセル滞在リスク識別子を受信するためのリスク識別子伝送モジュールを更に含み、
放送されるシステム情報には、セル滞在リスク識別子及び対応する隣接サービングセルの識別情報を含むことを特徴とする請求項１６又は１７に記載のサービングセル。
【発明の詳細な説明】
【技術分野】
【０００１】
本願は、２０１４年３月１３日に中国特許庁に提出された中国特許出願２０１４１００９３０５６．６（発明の名称：「セルアクセス方法と機器」）の優先権を主張し、その全ての内容が援用により本願に取り込まれる。
【０００２】
本発明は、無線通信技術分野に関し、特に、上り下り信号のカバレッジが一致しないことに基づくセルアクセス方法と機器に関する。
【背景技術】
【０００３】
通信技術の発展に伴い、通信システムの全面カバーを図るために、整備される基地局機器の数もますます多くなる。室内に整備される基地局機器もあり、ホットスポットエリアに整備される基地局機器もあり、更に、高い山や水辺などに整備される基地局機器もある。
【０００４】
水辺に整備される基地局機器は、送信及び受信信号が大気、水表面の反射の影響を受けるため、強い反射パスが形成される。これらの反射パスが基地局機器の直接照射パスと重なる場合に、強い信号（以下、このような信号を「重畳信号」と称する）が形成され、当該基地局機器から遠く離れた端末機器でも、このような重畳信号の受信ができるようになる。しかし、端末機器の送信電力などの原因の影響を受け、このような重畳信号の受信に対する上りのフィードバック信号は、端末機器から当該基地局機器に到達できず、基地局機器の上り下り信号が一致しないことがある。このような現象は、レークエフェクト現象と称される。
【０００５】
「レークエフェクト現象」の発生からの問題として、基地局機器から遠く離れた端末機器が「レークエフェクト現象」の影響を受けて当該基地局機器にアクセスする場合に、端末機器の上りのフィードバック信号が当該基地局機器に到達できず、当該基地局機器への端末機器によるランダムなアクセスが失敗に終わる。
【０００６】
現在、基地局機器の上り下りの信号が一致しないことを解決するために、セルレベルのセル再選択オフセット量を設定する。即ち、「レークエフェクト現象」から影響を受ける基地局機器Ａと、基地局機器Ａに近く「レークエフェクト現象」から影響を受けない基地局機器Ｂに対し、基地局機器Ａにセル再選択オフセット量を設定することにより、「レークエフェクト現象」の影響を受けてアクセスする端末機器が基地局機器Ｂを再選択するようにする。このように、元々基地局機器Ａのカバレッジにおける端末機器も基地局機器Ｂを再選択してアクセスすることになり、基地局機器Ｂにアクセスする端末機器は、通信中に基地局機器Ａから干渉を受け、通信品質が低下する。
【０００７】
以上の記載をまとめると、「レークエフェクト現象」の影響を受け、基地局機器への端末機器によるアクセスの失敗問題、又は、基地局機器にアクセスした後の通信品質の低下問題を解決するためのセルアクセス方法の提供が急がれる。
【発明の概要】
【発明が解決しようとする課題】
【０００８】
本発明の実施例は、これを鑑みて、「レークエフェクト現象」の影響を受け、基地局機器への端末機器によるアクセスの失敗問題、又は、基地局機器にアクセスした後の通信品質の低下問題を解決するためのセルアクセス方法と機器を提供する。
【課題を解決するための手段】
【０００９】
端末機器が、滞在中のサービングセルから、セル滞在リスク識別子と測定情報を含むシステム情報を受信することと、
上記セル滞在リスク識別子に基づいて、上記サービングセルにレークエフェクトが生じやすいと確定するとともに、上記測定情報に基づいて、上記サービングセルの信号品質を検出することと、
現在レークエフェクトが生じているか否かを、検出した信号品質情報を利用して確定し、レークエフェクトが現在まだ生じていないと確定する場合に、上記サービングセルにアクセスすることと、を含むセルアクセス方法。
【００１０】
上記方法において、上記端末機器は、現在レークエフェクトが生じていると確定する場合に、サービングセル再選択を開始し、現在滞在中のサービングセルを、上記端末機器によるアクセスが禁止されるサービングセルに設定することを更に含む。
【００１１】
上記方法において、上記システム情報には、上記サービングセルの所定の信号品質閾値を更に含み、
上記端末機器に現在レークエフェクトが生じているか否かを、検出した信号品質情報を利用して確定することは、
上記端末機器は、検出した信号品質情報と受信した上記サービングセルの所定の信号品質閾値を比較することと、
比較結果に応じて、現在レークエフェクトが生じているか否かを確定することとを含む。
【００１２】
上記方法において、比較結果に応じて、現在レークエフェクトが生じているか否かを確定することは、
上記端末機器は、モニタリングした信号品質情報が受信した上記サービングセルの所定の信号品質閾値以下であると確定する場合に、レークエフェクトが現在まだ生じていないと確定することと、
上記端末機器は、モニタリングした信号品質情報が受信した上記サービングセルの所定の信号品質閾値より大きいと確定する場合に、現在レークエフェクトが生じていると確定することとを含む。
【００１３】
上記方法において、上記端末機器が、上記端末機器のアクセスセルの識別情報及び上記端末機器の現在所在の位置情報を含むセルアクセス失敗イベント情報を、ネットワーク側へ送信することにより、
上記ネットワーク側が、
受信した上記端末機器のアクセスセルの識別情報に基づいて、上記アクセスセルの位置情報を確定し、
確定した上記位置情報と上記端末機器の現在所在の位置情報との距離値が所定の第一閾値より大きくなる場合に、上記端末機器のアクセスセルにレークエフェクトが生じていると確定し、
レークエフェクトの発生が確定されたセルにセル滞在リスク識別子を送信するように、
上記セル滞在リスク識別子が取得される。
【００１４】
上記方法において、上記端末機器が、上記端末機器のアクセスセルの識別情報及び上記端末機器の現在所在の位置情報を含むセルアクセス失敗イベント情報を、ネットワーク側へ送信することにより、
上記ネットワーク側が、
上記端末機器の現在所在の位置情報に基づいて、上記位置情報におけるカバー信号品質が所定の第二閾値より大きい少なくとも１つのセルの識別情報を確定し、
少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定し、
レークエフェクトの発生が確定されたセルにセル滞在リスク識別子を送信するように、
上記セル滞在リスク識別子が取得される。
【００１５】
サービングセルが、セル滞在リスク識別子と測定情報を含むシステム情報を放送することと、
上記サービングセルに滞在している端末機器により、自身にレークエフェクトがまだ生じていないと確定する場合に、上記端末機器のアクセス情報を受信し、上記端末機器からのアクセスを許可することと、を含むセルアクセス方法。
【００１６】
上記方法において、サービングセルがシステム情報を放送する前に、ネットワーク側から送信されるセル滞在リスク識別子を受信することを更に含む。
【００１７】
上記方法において、隣接サービングセルから送信されるセル滞在リスク識別子を受信することと、
放送されるシステム情報に、セル滞在リスク識別子及び対応する隣接サービングセルの識別情報を含むことと、を更に含む。
【００１８】
セルアクセス用の端末機器において、
滞在中のサービングセルから、セル滞在リスク識別子と測定情報を含むシステム情報を受信するための受信モジュールと、
上記セル滞在リスク識別子に基づいて、上記サービングセルにレークエフェクトが生じやすいと確定するとともに、上記測定情報に基づいて、上記サービングセルの信号品質を検出するための確定検出モジュールと、
現在レークエフェクトが生じているか否かを、検出した信号品質情報を利用して確定し、レークエフェクトが現在まだ生じていないと確定する場合に、上記サービングセルにアクセスするためのアクセスモジュールと、を含む。
【００１９】
上記端末機器において、上記アクセスモジュールは、更に、
現在レークエフェクトが生じていると確定する場合に、サービングセル再選択を開始し、上記サービングセルを、上記端末機器によるアクセスが禁止されるサービングセルに設定する。
【００２０】
上記端末機器において、上記システム情報には、上記サービングセルの所定の信号品質閾値を更に含み、
上記アクセスモジュールは、
検出した信号品質情報と受信した上記サービングセルの所定の信号品質閾値を比較し、
比較結果に応じて、現在レークエフェクトが生じているか否かを確定する。
【００２１】
上記端末機器において、上記アクセスモジュールは、
モニタリングした信号品質情報が受信した上記サービングセルの所定の信号品質閾値以下であると確定する場合に、レークエフェクトが現在まだ生じていないと確定し、
モニタリングした信号品質情報が受信した上記サービングセルの所定の信号品質閾値より大きいと確定する場合に、現在レークエフェクトが生じていると確定する。
【００２２】
上記端末機器において、上記端末機器のアクセスセルの識別情報及び上記端末機器の現在所在の位置情報を含むセルアクセス失敗イベント情報をネットワーク側へ送信することにより、
上記ネットワーク側が、
受信した上記端末機器のアクセスセルの識別情報に基づいて、上記アクセスセルの位置情報を確定し、
確定した上記位置情報と上記端末機器の現在所在の位置情報との距離値が所定の第一閾値より大きくなる場合に、上記端末機器のアクセスセルにレークエフェクトが生じていると確定し、
レークエフェクトの発生が確定されたセルにセル滞在リスク識別子を送信するように、
上記セル滞在リスク識別子が取得される。
【００２３】
上記端末機器において、上記端末機器のアクセスセルの識別情報及び上記端末機器の現在所在の位置情報を含むセルアクセス失敗イベント情報をネットワーク側へ送信することにより、
上記ネットワーク側が、
上記端末機器の現在所在の位置情報に基づいて、上記位置情報におけるカバー信号品質が所定の第二閾値より大きい少なくとも１つのセルの識別情報を確定し、
少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定し、
レークエフェクトの発生が確定されたセルにセル滞在リスク識別子を送信するように、
上記セル滞在リスク識別子が取得される。
【００２４】
セルアクセス用のサービングセルにおいて、
セル滞在リスク識別子と測定情報を含むシステム情報を放送するための放送モジュールと、
上記サービングセルに滞在している端末機器により、自身にレークエフェクトがまだ生じていないと確定する場合に、上記端末機器のアクセス情報を受信し、上記端末機器からのアクセスを許可するためのアクセス応答モジュールと、を含む。
【００２５】
上記サービングセルにおいて、システム情報を放送する前に、ネットワーク側から送信されるセル滞在リスク識別子を受信するための受信モジュールを更に含む。
【００２６】
上記サービングセルにおいて、隣接サービングセルから送信されるセル滞在リスク識別子を受信するためのリスク識別子伝送モジュールを更に含み、
放送されるシステム情報には、セル滞在リスク識別子及び対応する隣接サービングセルの識別情報を含む。
【発明の効果】
【００２７】
本発明の実施例において、端末機器は、滞在中のサービングセルから、セル滞在リスク識別子と測定情報を含むシステム情報を受信する。端末機器は、上記セル滞在リスク識別子に基づいて、上記サービングセルにレークエフェクトが生じやすいと確定するとともに、上記測定情報に基づいて、上記サービングセルの信号品質を検出する。端末機器は、現在レークエフェクトが生じているか否かを、検出した信号品質情報を利用して確定し、レークエフェクトが現在まだ生じていないと確定する場合に、上記サービングセルにアクセスする。このように、端末機器は、レークエフェクトの発生を、サービングセルへのアクセスの前に判断する。サービングセルのカバレッジにおける端末機器の当該基地局機器へのアクセスを成功させる一方、サービングセルのカバレッジ外においてレークエフェクトにより滞在する端末機器を直ちに発見して、当該サービングセルへのアクセスを禁止する。よって、レークエフェクトによる端末機器のアクセス失敗問題を効果的に回避し、更に端末機器の通信品質を向上させる。
【図面の簡単な説明】
【００２８】
【図１】本発明の実施例１のセルアクセス方法のフロー図である。
【図２】本発明の実施例２のセルアクセス方法のフロー図である。
【図３】本発明の実施例３のセルアクセス用の端末機器の構造図である。
【図４】本発明の実施例４のセルアクセス用のサービングセルの構造図である。
【図５】本発明の実施例５のセルアクセスシステムの構造図である。
【発明を実施するための形態】
【００２９】
本発明の目的を達成するために、本発明の実施例は、セルアクセス方法と機器を提供する。端末機器は、滞在中のサービングセルから、セル滞在リスク識別子と測定情報を含むシステム情報を受信する。端末機器は、上記セル滞在リスク識別子に基づいて、上記サービングセルにレークエフェクトが生じやすいと確定するとともに、上記測定情報に基づいて、上記サービングセルの信号品質を検出する。端末機器は、現在レークエフェクトが生じているか否かを、検出した信号品質情報を利用して確定し、レークエフェクトが現在まだ生じていないと確定する場合に、上記サービングセルにアクセスする。このように、端末機器は、レークエフェクトの発生を、サービングセルへのアクセスの前に判断する。サービングセルのカバレッジにおける端末機器の当該基地局機器へのアクセスを成功させる一方、サービングセルのカバレッジ外においてレークエフェクトにより滞在する端末機器を直ちに発見して、当該サービングセルへのアクセスを禁止する。よって、レークエフェクトによる端末機器のアクセス失敗問題を効果的に回避し、更に端末機器の通信品質を向上させる。
【００３０】
以下、明細書の図面を参照して、本発明の各実施例を詳細に記載する。
【００３１】
実施例１
図１は、本発明の実施例１のセルアクセス方法のフロー図を示す。当該方法は、下記のとおりである。
【００３２】
ステップ１０１において、端末機器は、滞在中のサービングセルからシステム情報を受信する。
ここで、上記システム情報は、セル滞在リスク識別子と測定情報を含む。
【００３３】
ステップ１０１において、端末機器は、サービングセルから参考情報を受信する場合に、参考情報に対応するサービングセルを選択して滞在先とする。
【００３４】
端末機器がサービングセルを選択して滞在先とする過程で、受信した参考情報には、レークエフェクトの影響を受けて反射パスが大きくなる参考情報を含む。
ここで、レークエフェクトの影響を受けて反射パスが大きくなる参考情報は、レークエフェクトの発生リスクが存在するサービングセルから送信される。
【００３５】
端末機器は、滞在するサービングセルがレークエフェクトのリスクありの基地局機器である場合に、当該滞在する基地局機器から、セル滞在リスク識別子と測定情報を含むシステム情報を受信する。
【００３６】
レークエフェクトのリスクありのサービングセルであるか否かの確定方法は、以下を含むが、それらに限定されない。
【００３７】
方式１
まず、ネットワーク側は、端末機器からセルアクセス失敗イベント情報を受信する。
ここで、上記セルアクセス失敗イベント情報は、上記端末機器のアクセスセルの識別情報及び上記端末機器の現在所在の位置情報を含む。
具体的に、端末機器は、サービングセルの滞在中において、当該サービングセルへのアクセス要求が失敗する場合に、セルアクセス失敗イベント情報をネットワーク側に送信し、アクセス失敗が生じたセルの識別情報及び端末機器の現在所在の位置情報を、セルアクセス失敗イベント情報によりネットワーク側に通知する。
次に、上記ネットワーク側は、受信した上記端末機器のアクセスセルの識別情報に基づいて、上記アクセスセルの位置情報を確定する。
なお、上記位置情報は、経緯度情報及び高度情報であってもよいし、位置を示すことができるその他の情報であってもよく、ここでは限定されない。
更に、上記ネットワーク側は、確定した上記位置情報と上記端末機器の現在所在の位置情報との距離値が所定の第１閾値より大きくなる場合に、上記端末機器のアクセスセルにレークエフェクトが生じていると確定する。
具体的に、上記ネットワーク側は、確定した上記位置情報と上記端末機器の現在所在の位置情報との距離値を計算し、算出した距離値が所定の第１閾値より大きくなる場合に、端末機器がサービングセルのカバレッジ外にあることを示す。当該端末機器が当該サービングセルから参考情報を受信して当該サービングセルに滞在することができるのならば、レークエフェクトの影響を受けた可能性がある。従って、上記ネットワーク側は、上記端末機器のアクセスセルにレークエフェクトが生じていると確定する。
最後に、上記ネットワーク側は、レークエフェクトの発生が確定されたサービングセルにセル滞在リスク識別子を送信する。
このように、当該サービングセルを、レークエフェクトが発生しやすいサービングセルであるとマークする。
なお、第１閾値は、どの値を取るかが当該サービングセルの信号のカバレッジにより決められるが、実際の測定から得られるか、実験データから得たものであってもよく、ここでは限定されない。
【００３８】
方式２
まず、ネットワーク側は、端末機器からセルアクセス失敗イベント情報を受信する。
ここで、上記セルアクセス失敗イベント情報は、上記端末機器のアクセスセルの識別情報及び上記端末機器の現在所在の位置情報を含む。
具体的に、端末機器は、サービングセルの滞在中において、当該サービングセルへのアクセス要求が失敗する場合に、セルアクセス失敗イベント情報をネットワーク側に送信し、アクセス失敗が生じたセルの識別情報及び端末機器の現在所在の位置情報を、セルアクセス失敗イベント情報によりネットワーク側に通知する。
次に、上記ネットワーク側は、上記端末機器の現在所在の位置情報に基づいて、上記位置情報におけるカバー信号品質が所定の第２閾値より大きい少なくとも１つのセルの識別情報を確定する。
具体的に、上記ネットワーク側は、上記端末機器の現在所在の位置情報に基づいて、上記位置情報におけるカバー信号に対応するセルの識別情報を確定し、確定した各セルの識別情報に対応するセルごとに、当該位置でカバーする信号品質を測定し、測定した各信号品質と所定の第２閾値との比較を行い、信号品質が所定の第２閾値より大きいセルの識別情報を得る。
更に、上記ネットワーク側は、少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定する。
具体的に、上記ネットワーク側は、得た信号品質が所定の第２閾値より大きいセルの場合に、上記端末機器のアクセスセルとの間に隣接関係が存在するかを判断し、少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定する。
なお、第２閾値は、１つの位置での信号カバー品質により確定されるが、実験データから確定されてもよく、ここでは限定されない。
最後に、上記ネットワーク側は、レークエフェクトの発生が確定されたサービングセルにセル滞在リスク識別子を送信する。
なお、ネットワーク側は、１つのサービングセルについてレークエフェクトが発生しやすいサービングセルであるか否かを判断するに際し、上述した方式により、受信した１つのセルに対する複数の端末機器のアクセス失敗イベント情報を分析して確定できるが、他の方式を採用してもよく、ここでは限定されない。
上記システム情報には、上記サービングセルの所定の信号品質閾値を更に含むことが好ましい。
【００３９】
ステップ１０２において、端末機器は、上記セル滞在リスク識別子に基づいて、上記サービングセルにレークエフェクトが生じやすいと確定するとともに、上記測定情報に基づいて、上記サービングセルの信号品質を検出する。
【００４０】
ステップ１０２において、レークエフェクトが生じやすいサービングセルからの参考情報により、遠く離れた一部の端末機器が参考信号を受信できるほかに、近くの１つの端末機器（即ち、レークエフェクトの影響を受けない）も当該参考情報を受信できる。そのため、レークエフェクトの影響を受けない端末機器は、当該サービングセルに順調にアクセスできる。従って、端末機器は、サービングセルへのアクセスの前に、当該サービングセルへの当該端末機器のアクセスについて、レークエフェクトの影響を受けるか否かを確定する必要がある。
【００４１】
このとき、端末機器は、サービングセルから送信される測定情報とセル滞在リスク識別子を受信する場合に、上記セル滞在リスク識別子に基づいて、上記サービングセルについてレークエフェクトが生じやすいサービングセルにあると確定し、次の工程で当該サービングセルの信号品質を検出する必要がある。
ここで、上記測定情報には、セルの周波数ポイント情報、セルの搬送波帯域幅などを含む。
【００４２】
ステップ１０３において、上記端末機器は、現在レークエフェクトが生じているか否かを、検出した信号品質情報を利用して確定し、レークエフェクトが生じている場合に、ステップ１０４を実行するが、逆の場合に、ステップ１０５を実行する。
【００４３】
ステップ１０３において、上記端末機器は、検出した信号品質情報と、受信した上記サービングセルの所定の信号品質閾値を比較し、比較結果に基づいて、自身に現在レークエフェクトが生じているかを確定する。
【００４４】
具体的に、上記端末機器は、モニタリングした信号品質情報が受信した上記サービングセルの所定の信号品質閾値以下であると確定する場合に、レークエフェクトが現在まだ生じていないと確定するが、モニタリングした信号品質情報が受信した上記サービングセルの所定の信号品質閾値より大きいと確定する場合に、現在レークエフェクトが生じていると確定する。
なお、信号品質閾値は、サービングセルの信号に基づいて反射発生後に確定されるが、実験結果から確定されてもよく、ここでは限定されない。
【００４５】
ステップ１０４において、上記端末機器は、現在まだ生じていないと確定する場合に、上記サービングセルにアクセスする。
【００４６】
ステップ１０５において、上記端末機器は、現在レークエフェクトが生じていると確定する場合に、サービングセル再選択を開始し、上記サービングセルを、上記端末機器によるアクセスが禁止されるサービングセルに設定する。
【００４７】
このように、端末機器は、レークエフェクトの発生を、サービングセルへのアクセスの前に判断する。サービングセルのカバレッジにおける端末機器の当該基地局機器へのアクセスを成功させる一方、サービングセルのカバレッジ外においてレークエフェクトにより滞在する端末機器を直ちに発見して、当該サービングセルへのアクセスを禁止する。よって、レークエフェクトによる端末機器のアクセスの失敗問題を効果的に回避した。
【００４８】
本発明の実施例１において、端末機器は、滞在中のサービングセルから、セル滞在リスク識別子と測定情報を含むシステム情報を受信する。端末機器は、上記セル滞在リスク識別子に基づいて、上記サービングセルにレークエフェクトが生じやすいと確定するとともに、上記測定情報に基づいて、上記サービングセルの信号品質を検出する。端末機器は、現在レークエフェクトが生じているか否かを、検出した信号品質情報を利用して確定し、レークエフェクトが現在まだ生じていないと確定する場合に、上記サービングセルにアクセスする。このように、端末機器は、レークエフェクトの発生を、サービングセルへのアクセスの前に判断する。サービングセルのカバレッジにおける端末機器の当該基地局機器へのアクセスを成功させる一方、サービングセルのカバレッジ外においてレークエフェクトにより滞在する端末機器を直ちに発見して、当該サービングセルへのアクセスを禁止する。よって、レークエフェクトによる端末機器のアクセスの失敗問題を効果的に回避し、更に端末機器の通信品質を向上させる。
【００４９】
実施例２
図２は、本発明の実施例２のセルアクセス方法のフロー図を示す。本発明の実施例２は、本発明の実施例１と同一の発明構想による発明であり、当該方法が下記のとおりである。
【００５０】
ステップ２０１において、サービングセルは、システム情報を放送する。
ここで、システム情報は、セル滞在リスク識別子と測定情報を含む。
【００５１】
ステップ２０１において、システム情報を放送する前に、更に、ネットワーク側から送信されるセル滞在リスク識別子を受信する。
【００５２】
ここで、セル滞在リスク識別子の生成方式は、以下を含むが、それらに限定されない。
【００５３】
方式１
まず、ネットワーク側は、端末機器からセルアクセス失敗イベント情報を受信する。
ここで、上記セルアクセス失敗イベント情報は、上記端末機器のアクセスセルの識別情報及び上記端末機器の現在所在の位置情報を含む。
具体的に、端末機器は、サービングセルの滞在中において、当該サービングセルへのアクセス要求が失敗する場合に、セルアクセス失敗イベント情報をネットワーク側に送信し、アクセス失敗が生じたセルの識別情報及び端末機器の現在所在の位置情報を、セルアクセス失敗イベント情報によりネットワーク側に通知する。
次に、上記ネットワーク側は、受信した上記端末機器のアクセスセルの識別情報に基づいて、上記アクセスセルの位置情報を確定する。
なお、上記位置情報は、経緯度情報及び高度情報であってもよいし、位置を示すことができるその他の情報であってもよく、ここでは限定されない。
更に、上記ネットワーク側は、確定した上記位置情報と上記端末機器の現在所在の位置情報との距離値が所定の第１閾値より大きくなる場合に、上記端末機器のアクセスセルにレークエフェクトが生じていると確定する。
具体的に、上記ネットワーク側は、確定した上記位置情報と上記端末機器の現在所在の位置情報との距離値を計算し、算出した距離値が所定の第１閾値より大きくなる場合に、端末機器がサービングセルのカバレッジ外にあることを示す。当該端末機器が当該サービングセルから参考情報を受信して当該サービングセルに滞在することができるのならば、レークエフェクトの影響を受けた可能性がある。従って、上記ネットワーク側は、上記端末機器のアクセスセルにレークエフェクトが生じていると確定する。
最後に、上記ネットワーク側は、レークエフェクトの発生が確定されたサービングセルにセル滞在リスク識別子を送信する。
このように、当該サービングセルを、レークエフェクトが発生しやすいサービングセルであるとマークする。
なお、第１閾値は、どの値を取るかが当該セルの信号のカバレッジにより決められるが、実際の測定から得られるか、実験データから得たものであってもよく、ここでは限定されない。
【００５４】
方式２
まず、ネットワーク側は、端末機器からセルアクセス失敗イベント情報を受信する。
ここで、上記セルアクセス失敗イベント情報は、上記端末機器のアクセスセルの識別情報及び上記端末機器の現在所在の位置情報を含む。
具体的に、端末機器は、サービングセルの滞在中において、当該サービングセルへのアクセス要求が失敗する場合に、セルアクセス失敗イベント情報をネットワーク側に送信し、アクセス失敗が生じたセルの識別情報及び端末機器の現在所在の位置情報を、セルアクセス失敗イベント情報によりネットワーク側に通知する。
次に、上記ネットワーク側は、上記端末機器の現在所在の位置情報に基づいて、上記位置情報におけるカバー信号品質が所定の第２閾値より大きい少なくとも１つのセルの識別情報を確定する。
具体的に、上記ネットワーク側は、上記端末機器の現在所在の位置情報に基づいて、上記位置情報におけるカバー信号に対応するセルの識別情報を確定し、確定した各セルの識別情報に対応するセルごとに、当該位置でカバーする信号品質を測定し、測定した各信号品質と所定の第２閾値との比較を行い、信号品質が所定の第２閾値より大きいセルの識別情報を得る。
更に、上記ネットワーク側は、少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定する。
具体的に、上記ネットワーク側は、得た信号品質が所定の第２閾値より大きいセルと、上記端末機器のアクセスセルとの間に隣接関係が存在するかを判断し、少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定する。
なお、第２閾値は、１つの位置での信号カバー品質により確定されるが、実験データから確定されてもよく、ここでは限定されない。
最後に、上記ネットワーク側は、レークエフェクトの発生が確定されたサービングセルにセル滞在リスク識別子を送信する。
なお、ネットワーク側は、１つのセルについてレークエフェクトのリスクがあるかを確定する際に、当該セルの識別子を当該セルの隣接セルに送信し、当該セルにレークエフェクトのリスクが存在することを当該セルの隣接セルに把握させてもよい。
【００５５】
本発明の別の実施例において、上記方法は、隣接サービングセルから送信されるセル滞在リスク識別子を受信し、放送されるシステム情報には、セル滞在リスク識別子及び対応する隣接サービングセルの識別情報を含む。
【００５６】
ステップ２０２において、上記サービングセルに滞在する端末機器は、レークエフェクトがまだ生じていないと確定する場合に、上記端末機器のアクセス情報を受信して、上記サービングセルへの上記端末機器のアクセスを許可する。
【００５７】
実施例３
図３は、本発明の実施例３のセルアクセス用の端末機器の構造図を示す。本発明の実施例３は、本発明の実施例１、２と同一の発明構想による発明である。
上記端末機器は、
滞在中のサービングセルから、セル滞在リスク識別子と測定情報を含むシステム情報を受信するための受信モジュール１１と、
上記セル滞在リスク識別子に基づいて、上記サービングセルにレークエフェクトが生じやすいと確定するとともに、上記測定情報に基づいて、上記サービングセルの信号品質を検出するための確定検出モジュール１２と、
現在レークエフェクトが生じているか否かを、検出した信号品質情報を利用して確定し、レークエフェクトが現在まだ生じていないと確定する場合に、上記サービングセルにアクセスするためのアクセスモジュール１３とを含む。
【００５８】
具体的に、上記アクセスモジュール１３は、現在レークエフェクトが生じていると確定する場合に、サービングセル再選択を開始し、上記サービングセルを、上記端末機器によるアクセスが禁止されるサービングセルに設定する。
【００５９】
上記システム情報には、上記サービングセルの所定の信号品質閾値を更に含む。
上記アクセスモジュール１３は、検出した信号品質情報と受信した上記サービングセルの所定の信号品質閾値を比較し、比較結果に応じて、現在レークエフェクトが生じているか否かを確定する。
【００６０】
上記アクセスモジュール１３は、モニタリングした信号品質情報が受信した上記サービングセルの所定の信号品質閾値以下であると確定する場合に、レークエフェクトが現在まだ生じていないと確定し、モニタリングした信号品質情報が受信した上記サービングセルの所定の信号品質閾値より大きいと確定する場合に、現在レークエフェクトが生じていると確定する。
【００６１】
上記セル滞在リスク識別子は、以下の方式により得られる。
上記端末機器のアクセスセルの識別情報及び上記端末機器の現在所在の位置情報を含むセルアクセス失敗イベント情報のネットワーク側への送信により、上記ネットワーク側が、受信した上記端末機器のアクセスセルの識別情報に基づいて、上記アクセスセルの位置情報を確定し、確定した上記位置情報と上記端末機器の現在所在の位置情報との距離値が所定の第１閾値より大きくなる場合に、上記端末機器のアクセスセルにレークエフェクトが生じていると確定し、レークエフェクトの発生が確定されたセルにセル滞在リスク識別子を送信する。
【００６２】
上記セル滞在リスク識別子は、以下の方式により得られる。
上記端末機器のアクセスセルの識別情報及び上記端末機器の現在所在の位置情報を含むセルアクセス失敗イベント情報のネットワーク側への送信により、上記ネットワーク側が、上記端末機器の現在所在の位置情報に基づいて、上記位置情報におけるカバー信号品質が所定の第２閾値より大きい少なくとも１つのセルの識別情報を確定し、少なくとも１つのセルの識別情報に対応するセルと上記端末機器のアクセスセルの識別情報に対応するセルとの間に隣接関係が存在しないと確定する場合に、上記端末機器のアクセスセルにレークエフェクトが生じていると確定し、レークエフェクトの発生が確定されたセルにセル滞在リスク識別子を送信する。
【００６３】
なお、本発明の実施例３において記載した端末機器の機能は、ハードウェアにより実現されてもよく、ソフトウェアにより実現されもよいが、ここでは限定されない。
【００６４】
実施例４
図４は、本発明の実施例４のセルアクセス用のサービングセルの構造図を示す。本発明の実施例４は、本発明の実施例１〜３と同一の発明構想による発明である。
上記サービングセルは、
セル滞在リスク識別子と測定情報を含むシステム情報を放送するための放送モジュール２１と、
上記サービングセルに滞在している端末機器により、自身にレークエフェクトがまだ生じていないと確定する場合に、上記端末機器のアクセス情報を受信し、上記端末機器からのアクセスを許可するためのアクセス応答モジュール２２とを含む。
【００６５】
上記サービングセルは、システム情報を放送する前に、ネットワーク側から送信されるセル滞在リスク識別子を受信するための受信モジュール２３を更に含む。
【００６６】
上記サービングセルは、隣接サービングセルから送信されるセル滞在リスク識別子を受信するためのリスク識別子伝送モジュール２４を更に含み、放送されるシステム情報には、セル滞在リスク識別子及び対応する隣接サービングセルの識別情報を含む。
【００６７】
なお、本発明の実施例４において記載したサービングセルの機能は、ハードウェアにより実現されてもよく、ソフトウェアにより実現されもよいが、ここでは限定されない。
【００６８】
実施例５
図５は、本発明の実施例５のセルアクセスシステムの構造図を示す。本発明の実施例５は、本発明の実施例１〜４と同一の発明構想による発明である。上記システムは、端末機器３１とサービングセル機器３２とを含む。
ここで、端末機器３１は、滞在中のサービングセルから、セル滞在リスク識別子と測定情報を含むシステム情報を受信し、上記セル滞在リスク識別子に基づいて、上記サービングセルにレークエフェクトが生じやすいと確定するとともに、上記測定情報に基づいて、上記サービングセルの信号品質を検出し、現在レークエフェクトが生じているか否かを、検出した信号品質情報を利用して確定し、レークエフェクトが現在まだ生じていないと確定する場合に、上記サービングセルにアクセスする。
サービングセル機器３２は、セル滞在リスク識別子と測定情報を含むシステム情報を放送し、上記サービングセルに滞在している端末機器により、自身にレークエフェクトがまだ生じていないと確定する場合に、上記端末機器のアクセス情報を受信し、上記端末機器からのアクセスを許可する。
【００６９】
なお、本発明の実施例において記載した端末機器３１は、本発明の実施例３において記載した端末機器の機能を有し、本発明の実施例において記載したサービングセル機器３２は、本発明の実施例４において記載したサービングセルの機能を有するが、ここでは詳細に記載しない。
【００７０】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、ＣＤ−ＲＯＭ、光学メモリなどを含むが、それらに限らない）で実施されるコンピュータプログラムプロダクトの形態を取り得る。
【００７１】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【００７２】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【００７３】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【００７４】
本発明の好適な実施例を記載したが、当業者は、基本的な創造性概念をいったん理解すると、これらの実施例に対し別の変更や修正をすることができる。従って、添付の特許請求の範囲は、好適な実施例及び本発明の範囲に入る全ての変更や修正を含むことを意図とする。
【００７５】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2017513422.tif 000003
【図２】
2017513422.tif 000004
【図３】
2017513422.tif 000005
【図４】
2017513422.tif 000006
【図５】
2017513422.tif 000007
【国際調査報告】
2017513422.tif 000008
2017513422.tif 000009
2017513422.tif 000010
2017513422.tif 000011